(57)【要約】【課題】本考案は、上、下両側からの水の侵入を阻止することができ、そしてなおもキーを押しやすいようにしようとすることを課題とする。【解決手段】キーボードベースと、スイッチシートと、キートップと、前記スイッチシートにおける前記スイッチ手段と前記キートップの間に介在し、前記キートップを前記スイッチシートから遠ざける方向へ付勢支持する弾性支持部材と、前記弾性支持部材の下方位置に設けられ、前記スイッチシートと前記キーボードベースとを貫通する複数の小孔と、前記キーボードベースの底面の前記小孔を覆い、防水性を有する防水部材と、を具備するキーボード入力装置であって、前記キーボードベースの前記スイッチシートの反対面に設けられ、前記小孔から延伸する溝部を更に有し、該溝部は前記防水部材と共に空気が前記小孔から出入できる空気通路を構成することを特徴とするキーボード入力装置。【選択図】      図２
0003137790.tif 000002
【実用新案登録請求の範囲】
【請求項１】
キーボードベースと、  
前記キーボードベース上に設けられ、少なくとも一つのスイッチ手段を有するスイッチシートと、  
前記スイッチシートにおける前記スイッチ手段に対応する位置に設けられるキートップと、  
前記スイッチシートにおける前記スイッチ手段と前記キートップの間に介在し、前記スイッチ手段を覆うように設けられ、その弾性により前記キートップを前記スイッチシートから遠ざける方向へ付勢支持する弾性支持部材と、  
前記弾性支持部材の下方位置に設けられ、前記スイッチシートと前記キーボードベースとを貫通する複数の小孔と、  
前記キーボードベースの底面の前記小孔を覆う位置に設けられ、防水性を有する防水部材と、  
を具備するキーボード入力装置であって、  
前記キーボードベースの前記スイッチシートの反対面に設けられ、前記小孔から延伸する溝部を更に有し、該溝部は前記防水部材と共に空気が前記小孔から出入できる空気通路を構成することを特徴とするキーボード入力装置。
【請求項２】
前記スイッチ手段、キートップ、弾性支持部材、小孔、溝部をすべて複数有し、且つ、該複数の溝部が互いに連通しあうことを特徴とする請求項１に記載のキーボード入力装置。
【請求項３】
前記防水部材はフィルム状に形成されることを特徴とする請求項１に記載のキーボード入力装置。
【考案の詳細な説明】
【技術分野】
【０００１】
本考案はキーボード入力装置に関し、特に、防水性能を高めたキーボード入力装置に関する。
【背景技術】
【０００２】
図６に示すのは特許文献１に開示されたキーボード入力装置の一例であり、図示のように、当キーボード入力装置は金属キーボードベース６と、スイッチ手段６３を有し、キーボードベース６の上に乗せられるスイッチシート６２と、スイッチ手段６３の位置に対応して配置されたキートップ６４と、キートップ６４とスイッチ手段６３の間に介在し、そしてスイッチ手段６３を覆うように設けられ、その弾性によりキートップ５３をスイッチ手段６３から遠ざける方向へ付勢支持する弾性支持部材６１とを備えている。キートップ６４が押されて弾性支持部材６１が図中の矢印が示す方向に変形移動してスイッチ手段６３に接触すると、スイッチ手段６３が作動されて信号を発生させるように構成されている。また、弾性支持部材６１が押されて変形することによって、弾性支持部材６１とキーボードベース６の間の空間は縮小するので、キーボードベース６とスイッチシート６２には空気がそこから出られる小孔６５が形成されている。
【０００３】
この構成において、弾性支持部材６１はスイッチ手段６３を覆うように設けられているので、水は上からスイッチ手段６３まで出入することができないので、水の侵入による故障や誤作動を回避することができる。
【特許文献１】台湾特許出願公開第４４８４５５号明細書
【考案の開示】
【考案が解決しようとする課題】
【０００４】
しかし、上記の構成では下側の小孔６５からの侵入を阻止するができない。そして、もし小孔６５に防水シートなどを張ってそれを阻止しようとすると、空気がそこから出られなくなり、キーが押し難くなる問題や、長期間の使用に渡って防水シートが剥れるなどの問題点が生じる。
【０００５】
この問題点に鑑みて、本考案は上、下両側からの水の侵入を阻止することができ、そしてなおもキーを押しやすいようにしようとすることを課題とする。
【課題を解決するための手段】
【０００６】
上記課題を解決するため、本考案はキーボードベースと、前記キーボードベース上に設けられ、少なくとも一つのスイッチ手段を有するスイッチシートと、前記スイッチシートにおける前記スイッチ手段に対応する位置に設けられるキートップと、前記スイッチシートにおける前記スイッチ手段と前記キートップの間に介在し、前記スイッチ手段を覆うように設けられ、その弾性により前記キートップを前記スイッチシートから遠ざける方向へ付勢支持する弾性支持部材と、前記弾性支持部材の下方位置に設けられ、前記スイッチシートと前記キーボードベースとを貫通する複数の小孔と、前記キーボードベースの底面の前記小孔を覆う位置に設けられ、防水性を有する防水部材と、を具備するキーボード入力装置であって、前記キーボードベースの前記スイッチシートの反対面に設けられ、前記小孔から延伸する溝部を更に有し、該溝部は前記防水部材と共に空気が前記小孔から出入できる空気通路を構成することを特徴とするキーボード入力装置を提供する。
【０００７】
更に、複数のキーを有するキーボード入力装置においては、本考案は複数のキーに有する前記溝部が互いに連通しあうことを特徴とするキーボード入力装置を提供する。
【０００８】
更に、本考案において、前記防水部材はフィルム状に形成されることが好ましい。
【考案の効果】
【０００９】
上記構成によれば、スイッチシートとキーボードベースとを貫通する複数の小孔が防水部材により覆われても、空気は小孔から空気通路を経て流れることができる。例え空気通路自身が外部と連通しなくても、空気を暫く空気通路に溜めることによって、キーが押し難い問題を解決することができる。そして、複数のキーを有する入力装置については、各小孔から延伸する空気通路が互いに連通するので、もっと押しやすいキーを備えたキーボード入力装置を提供することができる。
【考案を実施するための最良の形態】
【００１０】
以下は図１と図２を参照して、本考案の好ましい実施形態の構成について詳しく説明する。図１に示すのは本考案のキーボード入力装置において、一つのキーの構成を示す分解図であり、図２に示すのは図１に示す構成が組み立てた状態を示す断面図である。
【００１１】
図１と図２に示すように、本考案のキーボード入力装置は金属キーボードベース１０と、キーボードベース１０の上に設けられ、キーの数に対応する複数のスイッチ手段３１を有するスイッチシート３とからなる基板部１の各キーに対応するスイッチ手段３１の上に、キートップ４０と、スイッチ手段３１とキートップ４０の間に介在し、スイッチ手段３１を覆うように設けられ、弾性を有し、弾性によりキートップ３１をスイッチ手段３１から遠ざける方向へ付勢支持する弾性支持部材４２とを備えた複数のキー部４を設け、そしてキーボードベース１０の底面に防水性を有する防水フィルム２を張ってなるものである。
【００１２】
スイッチシート３の構成は更に図３を参照して説明する。図３に示すように、スイッチ手段３１には第１の小孔３１０が形成され、その第１の小孔３１０により断路状態になっている。そして図１に戻り、キーボードベース１０の各スイッチ手段３１に対応する位置には第２の小孔１２が形成される。そして、キーボードベース１０のスイッチシート３の反対面、即ち防水フィルム２が張られる一面に設けられ、第２の小孔１２から延伸する溝部１３を更に有し、該溝部１３は防水フィルム２と共に、空気が第１と第２の小孔３１０、１２から出入できる空気通路を構成する。
【００１３】
図２に示すように、弾性支持部材４２とスイッチシート３は、弾性支持部材４２の底縁に設けられるシール部４００により接着され、水の上側からの浸入を阻止することができる。弾性支持部材４２の内側、即ちスイッチ手段３１に臨む位置側にはスイッチ手段３１に向けて突起するように形成される導電部４２１が設けられる。キートップ４０が押されて弾性支持部材４２が変形して導電部４２１がスイッチ手段３１に接触すると、スイッチ手段３１は通路となって作動される。
【００１４】
更に、図４、図５はキーボードベース１０の底面に形成される第２の小孔１２、１２、１２…がそれぞれの第２の小孔１２、１２、１２…から延伸する溝部１３、１３、１３…が互いに連通しあう状態を示している。あるキーが押されてそこの弾性支持部材４２が変形すると、該弾性支持部材４２の内側にあった空気は互いに連通しあう溝部１３、１３、１３…を通じて他の場所に流れ、そしてキーが押された状態から解放されると、弾性支持部材４２は元の位置に戻り、空気もまた該弾性支持部材４２の内側に戻る。
【産業上の利用可能性】
【００１５】
上記構成によれば、スイッチシートとキーボードベースとを貫通する複数の小孔が防水部材により覆われても、空気は小孔から空気通路に流れることができる。例え空気通路自身が外部と連通しなくても、空気を暫く空気通路に溜めることによって、キーが押し難い問題を解決することができる。そして、複数のキーを有する入力装置については、各小孔から延伸する空気通路が互いに連通するので、もっと押しやすいキーを備えたキーボード入力装置を提供することができる。
【図面の簡単な説明】
【００１６】
【図１】本考案のキーボード入力装置における一つのキーの構成を示す分解図。
【図２】図１に示す構成が組み立てた状態を示す断面図。
【図３】本考案のスイッチシートにおけるスイッチ手段の構成を示す略示図。
【図４】本考案のキーボードベースの底面に形成される第２の小孔と溝部が互いに連通しあう状態を示す略示図。
【図５】空気がキーボードベースの底面に形成される第２の小孔と溝部に流れる状態を示す説明図。
【図６】従来のキーボード入力装置に施される防水手段の構成を示す断面図。
【符号の説明】
【００１７】
１…基板部、１０…キーボードベース、１２…第２の小孔、１３…溝部、２…防水フィルム、３…スイッチシート、３１…スイッチ手段、３１０…第１の小孔、４…キー部、４０…キートップ、４００…シール部、４２…弾性支持部材、４２１…導電部。
【図１】
0003137790.tif 000003
【図２】
0003137790.tif 000004
【図３】
0003137790.tif 000005
【図４】
0003137790.tif 000006
【図５】
0003137790.tif 000007
【図６】
0003137790.tif 000008